(57)【要約】【課題】減光部材の薄型化を達成しつつ、該減光部材の光透過部分である半透明部が光透過口に対して進退する際に他の部材と擦れて傷が付くことのないように保護する。【解決手段】光軸を中心とした光通過口を備えた装置基盤１，７と、光透過性の薄板状の母材上に減光機能をもつ半透明部６ｈが少なくとも１箇所形成される減光部材６と、前記光通過口に対して前記減光部材を進退させる減光用電磁駆動手段とを有し、前記減光部材は、前記半透明部を除く前記母材上に突起部６ｓ，６ｒが少なくとも１箇所設けられたものであり、該突起部に、前記光通過口に対して進退する際に前記半透明部が前記光軸と直交する方向に位置する部材と擦れて傷が付くことを防止する機能を持たせている。【選択図】図２
2005274856.tif 000002
【特許請求の範囲】
【請求項１】
光軸を中心とした光通過口を備えた装置基盤と、
光透過性の薄板状の母材上に減光機能をもつ半透明部が少なくとも１箇所形成される減光部材と、
前記光通過口に対して前記減光部材を進退させる減光用電磁駆動手段とを有し、
前記減光部材は、前記半透明部を除く前記母材上に突起部が少なくとも１箇所設けられたものであり、該突起部に、前記光通過口に対して進退する際に前記半透明部が前記光軸と直交する方向に位置する部材と擦れて傷が付くことを防止する機能を持たせていることを特徴とする光量調節装置。
【請求項２】
前記光軸方向に所定の空隙をもって前記装置基盤に取り付けられ、前記空隙を前記減光部材の走行スペースとするとともに、前記光通過口に対応する位置に開口部を有する押さえ部材を有し、
前記減光部材の前記突起部は前記装置基盤と相対する面側に設けられており、
前記押さえ部材の前記減光部材と相対する面側に、前記減光部材の前記光通過口に対する進退運動をガイドする突起状ガイド部が設けられていることを特徴とする請求項１に記載の光量調節装置。
【請求項３】
前記光軸方向に所定の空隙をもって前記装置基盤に取り付けられ、前記空隙を前記減光部材の走行スペースとするとともに、前記光通過口に対応する位置に開口部を有する押さえ部材を有し、
前記減光部材の前記突起部は前記押さえ部材と相対する面側に設けられており、
前記装置基盤の前記減光部材と相対する面側に、前記減光部材の前記光通過口に対する進退運動をガイドする突起状ガイド部が設けられていることを特徴とする請求項１に記載の光量調節装置。
【請求項４】
前記走行スペース内の前記減光部材の前記突起部と相対する面側に配置される遮光機能をもつ薄板状の遮光部材と、前記光軸に直交する略同一平面上に前記減光用電磁駆動手段と共に配置され、前記遮光部材を前記光通過口に対して進退させる遮光用電磁駆動手段とを有することを特徴とする請求項２又は３に記載光量調節装置。
【請求項５】
請求項１から４のいずれかに記載の光量調節装置を有することを特徴とする光学機器。
【発明の詳細な説明】
【技術分野】
【０００１】
本発明は、光通過口を通過する光を減光する機能を有する光量調節装置および該光量調節装置を有するカメラ等の光学機器に関するものである。
【背景技術】
【０００２】
従来、ムービングマグネット式の電磁駆動ユニットを、シャッタ羽根等の駆動源として用いたシャッタ装置が提案されている（特許文献１参照）。
【０００３】
近年、この種のシャッタ装置等の光量調節装置を備えたビデオカメラ、スチルカメラなどの光学機器では、小型化（薄型化）の要求が強く、必然的に光学機器内に配置される光量調節装置の小型化も要求される。ここで、レンズ鏡筒を備えたカメラにおいて、光量調節装置は、フォーカシングやズーミングを行うためのレンズ駆動機構（レンズ駆動源を含む）とともに、円筒状のレンズ鏡筒内に配置されている。そこで、カメラの小型化（レンズ鏡筒の径方向における小型化）を図るためには、光量調節装置などを光軸中心とする極力小さい径内に収納したいという要求がある。
【０００４】
また、カメラの小型化（レンズ鏡筒の光軸方向での小型化）を図る場合、光量調節装置から撮像媒体（フィルムやＣＣＤ等の撮像素子）までの距離や、光量調節装置からレンズ駆動源までの距離を短くする必要があるが、各部材間の干渉を防ぐためには、光量調節装置の厚み（光軸方向における長さ）を薄くしたいという要求がある。
【０００５】
ここで、永久磁石にネオジム系（Ｎｄ−Ｆｅ−Ｂ）マグネット等の高磁性材料からなるロータマグネットを用いることにより、駆動ユニットを小型化してシャッタ装置全体としても小型化を図ることができる。
【特許文献１】特開平５−２１６０９０号公報
【発明の開示】
【発明が解決しようとする課題】
【０００６】
従来、光量調節のために小絞り口径を設けた絞り羽根を用いる代わりに、口径部が半透明のＮＤフィルターを有する絞り羽根、いわゆるＮＤ羽根を用いる場合は、ＮＤフィルターを２枚の羽根材でサンドイッチして構成して該ＮＤフィルターが地板や羽根カバー板等に擦れないようにしていた。その結果、ＮＤ羽根を収めた羽根室が分厚くなってしまい、光量調節装置そのものが厚くなってしまう欠点があった。
【０００７】
（発明の目的）
本発明の第１の目的は、減光部材の薄型化を達成しつつ、該減光部材の光透過部分である半透明部が光透過口に対して進退する際に他の部材と擦れて傷が付くことのないように保護することのできる光量調節装置及び光学機器を提供しようとするものである。
【０００８】
本発明の第２の目的は、減光部材の光透過口に対する進退のための走行スペースを小さくし、装置の小型化を達成するとともに、減光部材の進退運動をスムーズに行えるようにすることのできる光量調節装置及び光学機器を提供しようとするものである。
【０００９】
本発明の第３の目的は、減光機能と遮光機能の両方を具備しつつ、装置の小型化を達成することのできる光量調節装置及び光学機器を提供しようとするものである。
【課題を解決するための手段】
【００１０】
上記目的を達成するために、請求項１に記載の発明は、光軸を中心とした光通過口を備えた装置基盤と、光透過性の薄板状の母材上に減光機能をもつ半透明部が少なくとも１箇所形成される減光部材と、前記光通過口に対して前記減光部材を進退させる減光用電磁駆動手段とを有し、前記減光部材が、前記半透明部を除く前記母材上に突起部が少なくとも１箇所設けられたものであり、該突起部に、前記光通過口に対して進退する際に前記半透明部が前記光軸と直交する方向に位置する部材と擦れて傷が付くことを防止する機能を持たせている光量調節装置とするものである。
【００１１】
また、上記第２の目的を達成するために、請求項２に記載の発明は、前記光軸方向に所定の空隙をもって前記装置基盤に取り付けられ、前記空隙を前記減光部材の走行スペースとするとともに、前記光通過口に対応する位置に開口部を有する押さえ部材を有し、前記減光部材の前記突起部は前記装置基盤と相対する面側に設けられており、前記押さえ部材の前記減光部材と相対する面側に、前記減光部材の前記光通過口に対する進退運動をガイドする突起状ガイド部が設けられている請求項１に記載の光量調節装置とするものである。
【００１２】
同じく上記第２の目的を達成するために、請求項３に記載の発明は、前記光軸方向に所定の空隙をもって前記装置基盤に取り付けられ、前記空隙を前記減光部材の走行スペースとするとともに、前記光通過口に対応する位置に開口部を有する押さえ部材を有し、前記減光部材の前記突起部は前記押さえ部材と相対する面側に設けられており、前記装置基盤の前記減光部材と相対する面側に、前記減光部材の前記光通過口に対する進退運動をガイドする突起状ガイド部が設けられている請求項１に記載の光量調節装置とするものである。
【００１３】
また、上記第３の目的を達成するために，請求項４に記載の発明は、前記走行スペース内の前記減光部材の前記突起部と相対する面側に配置される遮光機能をもつ薄板状の遮光部材と、前記光軸に直交する略同一平面上に前記減光用電磁駆動手段と共に配置され、前記遮光部材を前記光通過口に対して進退させる遮光用電磁駆動手段とを有する請求項２又は３に記載の光量調節装置とするものである。
【００１４】
また、上記第１ないし第３の目的を達成するために、請求項１から４のいずれかに記載の光量調節装置を有する光学機器とするものである。
【発明の効果】
【００１５】
本発明によれば、減光部材の薄型化を達成しつつ、該減光部材の光透過部分である半透明部が光透過口に対して進退する際に他の部材と擦れて傷が付くことのないように保護することができる光量調節装置又は光学機器を提供できるものである。
【発明を実施するための最良の形態】
【００１６】
以下の実施例１及び実施例２に示す通りである。
【実施例１】
【００１７】
図１は本発明の実施例１に係る光量調節装置を示す分解斜視図、図２は図１の光量調節装置の部分断面図である。図３ないし図６は図１の光量調節装置の状態遷移を示す平面図であり、詳しくは、図３は遮光部材であるところのシャッタ羽根ならびに減光部材であるところのＮＤ羽根の双方が光透過口から退避した第１の位置にある状態を、図４はシャッタ羽根が光透過口を遮蔽した第２の位置にあり、ＮＤ羽根は光透過口から退避した第１の位置にある状態を、図５はシャッタ羽根が光透過口から退避した第１の位置にあり、ＮＤ羽根に設けた小絞り口径が光透過口内に進入した第２の位置にある状態を、図６はシャッタ羽根ならびにＮＤ羽根の双方が光透過口内に進入した第２の位置にある状態を、それぞれ示す。また、図７は図１の光量調節装置を備えたカメラの概略図である。
【００１８】
図７において、１０はカメラ本体であり、この内部には撮影を可能とする各種の部材が配置されている。１１はカメラ本体１０内に配置された撮影レンズであり、被写体光束を通過させる。ここで、撮影レンズ１１を複数のレンズ群１１Ａ〜１１Ｃで構成し、これらのレンズ群の光軸方向における距離を変えることにより、光学ズームを行わせることもできる。１２は模式的に示した光量調節装置であり、撮影レンズ１１を通過した被写体光束の遮光や減光を行う。この光量調節装置１２の具体的な構成については後述する。１３は撮像媒体であり、ＣＣＤやＣＭＯＳ等の撮像素子で構成されている。なお、撮像媒体１３として、フィルムを用いることもできる。
【００１９】
撮像媒体１３には、撮影レンズ１１を通過した被写体光束が受光（露光）される。これにより、撮像媒体１３からは受光量に応じた画像信号が出力され、この画像信号に所定の画像信号処理が施された後、カメラ本体１０に設けられた不図示の表示部に被写体画像として表示される。この被写体画像のデータは、カメラ本体１０内に挿入される不図示の記録媒体（例えば、フラッシュメモリーカード）に記録することもできる。なお、カメラ本体１０には、撮影動作を開始させるための操作部が設けられており、この操作部を撮影者が操作することにより撮影（撮像）を行うことができる。
【００２０】
次に、図７に示した光量調節装置１２の具体的な構成例について、図１を用いて説明する。
【００２１】
図１において、１はシャッタ地板であり、以下に説明する各種の部材が取り付けられる。シャッタ地板１の中央には、開口部１ｄが形成されている。７は開放口径（光透過口）７ｄを有した口径板であり、開口部１ｄを覆うようにしてシャッタ地板１上に配されている。２は永久磁石で構成されたロータマグネットであり、この外周面が２極（Ｎ極、Ｓ極）に着磁されている。ロータマグネット２の軸受け穴２ａはシャッタ地板１に設けられた回転軸１ａに回転自在に嵌合している。２’は永久磁石で構成されたロータマグネットであり、この外周面が２極（Ｎ極、Ｓ極）に着磁されている。ロータマグネット２’の軸受け穴２ａ’はシャッタ地板１に設けられた回転軸１ａ’に回転自在に嵌合している。３はシャッタ羽根（遮光部材）であり、回転軸穴３ａにシャッタ地板１に設けられた回転軸１ａが、長穴３ｂにロータマグネット２に設けられた羽根駆動ピン２ｂが、それぞれ嵌合している。
【００２２】
４は軟磁性材料からなるステータヨークであり、馬蹄形状に形成されている。このステータヨーク４は、ロータマグネット２の外周曲面に対向して配置される磁極部４ａ，４ｂを有する。また、ステータヨーク４は、後述する電磁コイルユニット５とともにシャッタ地板１に対して羽根取り付け側（図１中上側）から取り付けられる。４’は軟磁性材料からなるステータヨークであり、馬蹄形状に形成されている。このステータヨーク４’は、ロータマグネット２’の外周曲面に対向して配置される磁極部４ａ’，４ｂ’を有する。また、ステータヨーク４’は、後述する電磁コイルユニット５’とともに、シャッタ地板１に対して羽根取り付け側（図１中上側）から取り付けられる。
【００２３】
５は電磁コイルユニットであり、ボビン５ａに導線からなるコイルが巻き付けられて構成されている。この電磁コイルユニット５は、１枚又は複数枚積層された構成のステータヨーク４が挿入された状態でシャッタ地板１に取り付けられる。５’は電磁コイルユニットであり、ボビン５ａ’に導線からなるコイルが巻き付けられて構成されている。この電磁コイルユニット５’は、１枚又は複数枚積層された構成のステータヨーク４’が挿入された状態でシャッタ地板１に取り付けられる。
【００２４】
６はＮＤフィルター部を有する絞り羽根であるところのＮＤ羽根（減光部材）であり、開放口径７ｄ内に進入した第２の位置にあるときに該開放口径７ｄを覆うように配置された前記ＮＤフィルター部である半透明部６ｈが蒸着膜にて透明な薄板材の表面に１箇所（複数であっても良い）形成されており、回転軸穴６ａが地板１に設けられた回転軸１ａ’に、長穴６ｂがロータマグネット２’に設けられた羽根駆動ピン２ｂ’に、それぞれ嵌合している。ＮＤ羽根６の透明部には、ＮＤ羽根６の回転中心と同心で、図１の下側方向へ母材である薄板材を絞り成形してなる突起形状の２本のガイドレール６ｒ，６ｓが形成されている。
【００２５】
ここで、ロータマグネット２および２’、ステータヨーク４および４’、電磁コイルユニット５および５’は同一形状であり、シャッタ地板１に光軸Ｘを中心に点対称に配置されている。
【００２６】
８は羽根押さえ板であり、シャッタ地板１に設けられたビス穴１ｅに対して所定の間隔を空けた状態で２本のビス９で取り付けられる。これにより、羽根押さえ板８は、シャッタ羽根３およびＮＤ羽根６を保護するとともに、シャッタ羽根３およびＮＤ羽根６の走行スペースを確保する。また、羽根押さえ板８の中央には、光通過口となる開口部８ｃが形成されている。羽根押さえ板８には、ＮＤ羽根６の回転中心と同心で、図の下側に突起形状の円弧形状の２本のガイドレール８ｒ，８ｓが形成されている。
【００２７】
図２は図１の光量調節装置の部分断面図、詳しくは、シャッタ羽根３およびＮＤ羽根６のガイドレール６ｒ，６ｓ、羽根押さえ板８のガイドレール８ｒ，８ｓとの関係を示した部分断面図である。ガイドレール６ｒ，６ｓによりＮＤ羽根６の光透過部分である半透明部（ＮＤフィルター部）６ｈがシャッタ羽根３との接触を保護されて擦れることなく、常に適宜な空間が確保されながら進退動作する。同様に、羽根押さえ板８のガイドレール８ｒ，８ｓによりＮＤ羽根６の光透過部分である半透明部６ｈが羽根押さえ板８との接触を保護されて擦れることなく、常に適宜な空間が確保されながら進退動作する。
【００２８】
光量調節装置１２の組み立て時において、羽根押さえ板８の角部８ｂ，８ｂ’は、ボビン５ａのフランジ部５ｂ，５ｃおよびボビン５ａ’のフランジ部５ｂ’，５ｃ’に当接するようになっており、電磁コイルユニット５およびステータヨーク４は、羽根押さえ板８およびシャッタ地板１により挟み込まれた状態で固定されている。
【００２９】
ここで、フランジ部５ｂ，５ｂ’，５ｃ，５ｃ’の上面（図１中上側の面）は、電磁コイルユニット５，５’の上面に対して羽根押さえ板８の厚み分だけ下方に位置しており、光量調節装置１２を組み立てた状態において、羽根押さえ板８の上面および電磁コイルユニット５，５’の上面が、略同一平面内に位置するようになっている。また、フランジ部５ｂ，５ｂ’，５ｃ，５ｃ’の下面（図１中下側の面）は、電磁コイルユニット５，５’の下面に対してシャッタ地板１の厚み分だけ上方に位置しており、光量調節装置１２を組み立てた状態において、シャッタ地板１の下面および電磁コイルユニット５，５’の下面が略同一平面内に位置するようになっている。上記構成により、電磁コイルユニット５，５’は、光量調節装置１２の厚み内に収まるようになっている。
【００３０】
また、電磁コイルユニット５，５’（ステータヨーク４，４’）は、フランジ部５ｂ，５ｃが羽根押さえ板８（角部８ｂ）およびシャッタ地板１により挟み込まれた状態で固定されているため、該電磁コイルユニット５，５’（ステータヨーク４，４’）をシャッタ地板１に固定するための部材（例えば、ビス）が不要になる。このように部品点数を削減することで、光量調節装置１２の低コスト化を図ることができるとともに、該光量調節装置１２を小型化（薄型化）することができる。しかも、シャッタ羽根３のアクチュエータ（ロータマグネット２、電磁コイルユニット５およびステータヨーク４）並びに、ＮＤ羽根６のアクチュエータ（ロータマグネット２’、電磁コイルユニット５’およびステータヨーク４’）を光量調節装置１２の厚み内に収まるように構成することで、特許文献１に示されている光量調節装置などに比べて光量調節装置の小型化（薄型化）を図ることができる。
【００３１】
次に、本実施例１に係る光量調節装置１２の組み立て方法について説明する。
【００３２】
まず、ステータヨーク４が挿入された電磁コイルユニット５をシャッタ地板１に組み込む。同様に、ステータヨーク４’が挿入された電磁コイルユニット５’をシャッタ地板１に組み込む。次に、口径板７をシャッタ地板１上に切り欠き部７ａ，７ａ’，７ｂ，７ｂ’がシャッタ地板１およびステータヨーク４，４’に嵌合するように配置させる。
【００３３】
そして、回転軸１ａ，１ａ’にロータマグネット２，２’を挿入する。このとき、ロータマグネット２，２’は無着磁状態である。次に、シャッタ羽根３を回転軸１ａおよび羽根駆動ピン２ａに係合させる。同様にＮＤ羽根６を回転軸１ａ’および羽根駆動ピン２ａ’に係合させる。次いで、羽根押さえ板８を２本のビス９を用いてシャッタ地板１に取り付ける。最後に、シャッタ羽根３およびＮＤ羽根６をそれぞれ第２の位置に固定した状態（図４の状態）で、ロータマグネット２，２’を同時に所定の磁化方向へ着磁する。これにより、光量調節装置１２が組み立てられる。
【００３４】
本実施例１における光量調節装置１２では、該光量調節装置１２を構成するすべての部品をシャッタ地板１に対して一方（図１中上方）から取り付けることができるため、光量調節装置１２の組み立てが容易になる。また、２個のロータマグネットを同時に着磁することで、工数の削減が図れる。
【００３５】
次に、上述した構成の光量調節装置１２の動作（状態遷移）について、図３ないし図６を用いて説明する。なお、図３ないし図６は羽根押さえ板８を取り除いた状態の平面図である。
【００３６】
図３は、遮光部材であるところのシャッタ羽根３ならびに減光部材であるところのＮＤ羽根６の双方が開放口径７ｄから退避した第１の位置にある状態（開放状態）を示す。
【００３７】
電磁コイルユニット５，５’が通電ＯＦＦの状態にあるとき、ステータヨーク４は非励磁状態にあり、ロータマグネット２，２’は、ステータヨーク４，４’の磁極部４ａ，４ａ’，４ｂ，４ｂ’との吸引力（ディテント力）によって、シャッタ地板１の突き当て面１ｂ，１ｃにシャッタ羽根３ならびにＮＤ羽根６の双方が突き当たった状態に保持される。
【００３８】
図３の状態からステータヨーク４の磁極部４ａがＳ極になり、磁極部４ｂがＮ極になるように電磁コイルユニット５の通電制御を行うと、ステータヨーク４とロータマグネット２との間に吸引力と反発力が生じてロータマグネット２が図３の状態から反時計回りに約４０°〜５０°の角度で回転し、シャッタ羽根３が図３の開放状態から開放口径７ｄを覆う位置まで移動する。これにより、図４に示すように、シャッタ羽根３は光透過口を遮蔽した第２の位置となり、一方、ＮＤ羽根６は光透過口から退避した第１の位置のままであり、結果、光透過口には半透過部６ｈは無く、シャッタ羽根３は閉じ状態となる。
【００３９】
ここで、ロータマグネット２およびステータヨーク４は、ロータマグネット２の全作動範囲（角度４０°〜５０°）のうち中間位置（約２０°〜２５°）でディテント力がゼロとなり、かつディテント力の方向が中間位置の前後で左右（逆方向）に切り換わるように配置されている。このような配置関係とすることにより、電磁コイルユニット５に通電してシャッタ羽根３の回動を行った後、通電ＯＦＦの状態にしても、ディテント力によりシャッタ羽根３がシャッタ地板１に形成された突き当て面１ｂに当接したままとなる。すなわち、シャッタ羽根３が開口径７ｄを覆った状態に保持される。
【００４０】
次に、ステータヨーク４の磁極部４ａがＮ極になり、磁極部４ｂがＳ極になるように電磁コイルユニット５への通電制御を行うと、ステータヨーク４およびロータマグネット２の間に反発力と吸引力が生じてロータマグネット２が図３中、時計回りに約４０°〜５０°の角度で回転して、初期の位置（図３に示す位置）に戻る。
【００４１】
また、図３の状態から、ステータヨーク４’の磁極部４ａ’がＮ極になり、磁極部４ｂ’Ｓが極になるように電磁コイルユニット５’への通電制御を行うと、ステータヨーク４’とロータマグネット２’との間に吸引力と反発力が生じてロータマグネット２’が図３の状態から反時計回りに約４０°〜５０°の角度で回転し、ＮＤ羽根６が第１の位置である退避状態から開放口径７ｄへ半透明部６ｈを進入させた状態（第２の位置）まで移動する。これにより、図５に示すように、シャッタ羽根３は光透過口から退避した第１の位置のままであり、一方、ＮＤ羽根６の半透明部６ｈが光透過口内に進入した第２の位置となり、結果、光透過口に半透過部６ｈが入り、シャッタ羽根３は開放状態となる。
【００４２】
その後、電磁コイルユニット５’を通電ＯＦＦ状態にすると、ロータマグネット２’およびステータヨーク４’間のディテント力によってＮＤ羽根６が図５に示す状態に保持される。
【００４３】
次に、ステータヨーク４の磁極部４ａがＳ極になり、磁極部４ｂがＮ極になるように電磁コイルユニット５への通電制御を行うと、ステータヨーク４とロータマグネット２との間に吸引力と反発力が生じてロータマグネット２が図５の状態から反時計回りに約４０°〜５０°の角度で回転し、シャッタ羽根３が開放状態から開放口径７ｄを覆う位置まで移動する。これにより、図６に示すように、シャッタ羽根３ならびにＮＤ羽根６の双方が光透過口内に進入した第２の位置となり、結果、光透過口に半透過部６ｈが入り、シャッタ羽根３は閉じ状態となる。
【００４４】
このように電磁コイルユニット５、５’への正、逆通電制御を行うことによるロータマグネット２，２’およびステータヨーク４，４’の磁気的な吸引、反発作用の２つの力の働きを受けて、シャッタ羽根３ならびにＮＤ羽根６は回転軸１ａ，１ａ’を中心に回転して開放口径７ｄ（光透過口）を開閉して遮光したり、半透明部を進入させて減光したりすることができる。
【００４５】
また、電磁コイルユニット５，５’への通電が遮断された後は、ロータマグネット２，２’およびステータヨーク４，４’間に生じるディテント力により、シャッタ羽根３およびＮＤ羽根６は突き当て部１ｂ又は１ｃに付勢された状態で当接（停止）する。
【００４６】
本実施例１に係る光量調節装置１２を、撮像媒体１３がＣＣＤ等の撮像素子で構成されたデジタルカメラに搭載した場合には、電磁コイルユニット５，５’への正、逆通電の制御により、上記のようにシャッタ羽根３およびＮＤ羽根６の駆動を制御することになる。また、本実施例１の光量調節装置１２を、撮像媒体１３がフィルムで構成されたカメラに搭載した場合には、電磁コイルユニット５，５’への通電時間および通電タイミングにより、シャッタ羽根３およびＮＤ羽根６の駆動を制御することになる。
【００４７】
なお、上記の実施例１では、ＮＤ羽根６の透明部に設けた２本のガイドレール６ｒ，６ｓによってシャッタ羽根３との空隙を形成しているが、ガイドレールの本数は１本、または３本以上でも良い。また、レール状ではなく半球状の突起としても同様の効果が得られる。羽根押さえ板８についても同様に、ガイドレールの本数は１本、または３本以上でも良く、また、レール状ではなく半球状の突起としても同様の効果が得られる。
【００４８】
また、ＮＤ羽根６には図２の下側に２本のガイドレール６ｒ，６ｓが設けられているが、ガイドレール６ｓを図中の上側に設ける構造にすることで、羽根押さえ板８のガードレールを無くすこともできる。もしくは、ガイドレール６ｒの傍に上側に突起形状を新たに設け、ガイドレール６ｓの傍に上側に突起形状を新たに設けることでも、羽根押さえ板８のガードレールを無くすこともできる。また、半透過部６ｈは薄膜蒸着により形成しているが、これに限定されるものではない。
【実施例２】
【００４９】
上記実施例１では、光量調節装置は、図１の下側から、シャッタ地板１、口径板７、シャッタ羽根３、ＮＤ羽根６、羽根押さえ板８の順で組み立てられていたが、シャッタ羽根３とＮＤ羽根６の順序を入れ換えても良い。図８はその場合の部分断面図である。
【００５０】
本発明の実施例２に係わる光量調節装置１２は、図８に示すように、シャッタ地板１、口径板７、ＮＤ羽根６、シャッタ羽根３、羽根押さえ板８の順で組み立てられている。このとき、ＮＤ羽根６は、口径板７とシャッタ羽根３に擦れることになるので、このＮＤ羽根６に設けたガイドレール６ｒ，６ｓは、図８の上側に突起形状となるように形成されている。口径板７にもガイドレール７ｒ，７ｓが図８の上側に突起形状となるように形成されている。
【００５１】
その結果、ガイドレール６ｒ，６ｓによりＮＤ羽根６の光透過部分である半透明部６ｈは、シャッタ羽根３および口径板７との接触を保護されて擦れることなく、常に適宜な空間が確保されながら進退動作することが可能となる。
【００５２】
なお、本実施例２では、シャッタ地板１の上に口径板７を配置しているが、シャッタ地板１に開放口径を設けても良く、その場合には口径板７は不要となり、ガイドレールをシャッタ地板１上に形成することになる。上記実施例１についても、シャッタ地板１に開放口径を設けて、口径板７を削除することが可能であり、その方法は述べるまでもない。
【００５３】
以上の実施例１及び２によれば、任意の時間遮光するシャッタ機能に加えて、ＮＤフィルターによる絞り機能を付加した光量調節装置を構成し、シャッタ用と絞り用の２つの羽根駆動ユニットを備えながら、特許文献２とほぼ同等の小型化（薄型化）と組み立て性を実現することができる。
【００５４】
詳しくは、光通過口（開放口径７ｄ）に対して退避した第１の位置と進入した第２の位置に進退可能な遮光部材であるＮＤ羽根６を備え、このＮＤ羽根６は、薄板状の光透過性の母材に少なくとも１箇の半透明部６ｈ（半透明状の薄膜が蒸着されてなる）が形成されるとともに、例えば母材を絞り成形してなる突起形状のガイドレール６ｒ，６ｓ（１箇以上でよい）が形成されている。さらに、このＮＤ羽根６の回転運動をガイドするガイドレールを、押さえ部材８、または口径板７（もしくはシャッタ地板１）に備え、このガイドレール８ｓ，８ｒ，７ｓ，７ｒとＮＤ羽根６のガイドレール６ｒ，６ｓを用いて、それぞれの間に適宜な空隙を形成して、ＮＤ羽根６を回転運動させる構成にしている。
【００５５】
すなわち、薄型化を図るために極力小さくした羽根の走行スペース（シャッタ地板１と押さえ部材８との空隙）にも、半透明部６ｈの形成されたＮＤ羽根６を配置できるようにするために、光透過部分である半透明部６ｈに擦れ傷が付かないように保護するガイドレール６ｒ，６ｓを該ＮＤ羽根６に備え、かつ、押さえ部材８等にガイドレール８ｓ，８ｒ等を設けた構成にしているので、光量調節装置全体を小型化（薄型化）しながらも、ＮＤ羽根６を用いて減光することをスムーズに行うことが可能となり、口径が小さすぎて開放径よりも小さくした口径の絞り口径を付けられないような場合でも、光学性能が劣化しない光量調節装置を提供することができる。
【００５６】
上記各実施例において、シャッタ地板１、口径板７が本発明の装置基盤に、羽根押さえ板８が本発明の押さえ部材に、ガイドレール７ｒ，７ｓやガイドレール８ｒ，８ｓが本発明の突起ガイド部に、ＮＤ羽根６が本発明の減光部材に、半透明部６ｈが本発明の半透明部に、ガイドレール６ｓ，６ｒが本発明の突起部に、ロータマグネット２、駆動ピン２ｂ、ステータヨーク４及び電磁コイルユニット５が本発明の第２の電磁駆動手段に、シャッタ羽根３が本発明の遮光部材に、ロータマグネット２’、駆動ピン２ｂ’、ステータヨーク４’及び電磁コイルユニット５’が本発明の第１の電磁駆動手段に、それぞれ相当する。
【００５７】
なお、本実施例１に係る光量調節装置は、カメラ本体に着脱可能なレンズ装置やカメラが内蔵された携帯電子機器（携帯電話）等の光学機器にも搭載することができる。上述したように小型化が可能な光量調節装置を光学機器に搭載すれば、光学機器全体も小型化が可能となる。
【図面の簡単な説明】
【００５８】
【図１】本発明の実施例１に係る光量調節装置を示す分解斜視図である。
【図２】本発明の実施例１に係る光量調節装置の部分断面図である。
【図３】本発明の実施例１に係る光量調節装置の状態遷移（開放状態）を示す図である。
【図４】本発明の実施例１に係る光量調節装置の状態遷移（ＮＤ無しでのシャッタ閉じ状態）を示す図である。
【図５】本発明の実施例１に係る光量調節装置の状態遷移（ＮＤ入り開放状態）を示す図である。
【図６】本発明の実施例１に係る光量調節装置の状態遷移（ＮＤ入りでのシャッタ閉じ状態）を示す図である。
【図７】本発明の実施例１に係る光量調節装置を備えたカメラの概略図である。
【図８】本発明の実施例２に係る光量調節装置の部分断面図である。
【符号の説明】
【００５９】
１          シャッタ地板
２，２’    ロータマグネット
２ｂ，２ｂ’駆動ピン
３          シャッタ羽根
４，４’    ステータヨーク
５，５’    電磁コイルユニット
５ａ，５ａ’ボビン
６          ＮＤ羽根
６ａ        回転軸穴
６ｂ        長穴
６ｈ        半透明部
６ｒ，６ｓ  ガイドレール
７          口径板
７ｒ，７ｓ  ガイドレール
８          羽根押さえ板
８ｒ，８ｓ  ガイドレール
【図１】
2005274856.tif 000003
【図２】
2005274856.tif 000004
【図３】
2005274856.tif 000005
【図４】
2005274856.tif 000006
【図５】
2005274856.tif 000007
【図６】
2005274856.tif 000008
【図７】
2005274856.tif 000009
【図８】
2005274856.tif 000010